(57)【特許請求の範囲】
【請求項１】
開閉可能な一対のアームを有する把持部と、前記一対のアームを開閉させる操作部とを備えたヤットコの前記把持部に取り付けられ、前記一対のアームの先端間で把持したロール状の絶縁テープを対象物に巻き付けるのに用いられるヤットコ用アダプタであって、
前記両アームの先端と間隔をおき、かつ前記両アーム間で把持した前記絶縁テープの巻心の軸線と略平行をなすように設けられる押さえ部を有していることを特徴とするヤットコ用アダプタ。
【請求項２】
前記押さえ部は、前記両アームの開閉方向を通る水平面に対して所定の角度をなすように設けられていることを特徴とする請求項１に記載のヤットコ用アダプタ。
【請求項３】
前記両アームの先端には、前記絶縁テープの巻心を軸線方向の両側から支持する一対の支持部が着脱自在に取り付けられ、該一対の支持部の何れか一方に前記押さえ部が設けられていることを特徴とする請求項１又は２に記載のヤットコ用アダプタ。
【請求項４】
前記各支持部は、各アームの先端にそれぞれ着脱自在に取り付けられる基部と、各基部に一体に設けられるとともに、前記絶縁テープの巻心の内側に軸線方向から挿入可能な突出部とを備えていることを特徴とする請求項３に記載のヤットコ用アダプタ。
【請求項５】
前記突出部は、円柱状又は円筒状に形成されるとともに、前記絶縁テープの巻心の内側に挿入可能な直径に設定され、かつ前記基部からの突出長さが前記絶縁テープの幅の１／２以下に設定されていることを特徴とする請求項４に記載のヤットコ用アダプタ。
【請求項６】
前記押さえ部は、円柱状又は円筒状に形成されるとともに、前記絶縁テープの幅よりも長く形成されていることを特徴とする請求項１〜５の何れか１項に記載のヤットコ用アダプタ。
【請求項７】
前記押さえ部の先端部には、前記対象物の周囲に巻き付けた絶縁テープを切断する切断刃が設けられていることを特徴とする請求項１〜６の何れか１項に記載のヤットコ用アダプタ。
【発明の詳細な説明】
【技術分野】
【０００１】
本発明は、ヤットコ用アダプタに関し、特に、ヤットコの把持部のアームに取り付けられて用いられ、間接活線作業において、架空電線等の対象物の周囲に絶縁テープを巻き付けるのに有効なヤットコ用アダプタに関する。
【背景技術】
【０００２】
従来、間接活線作業において、上方に水平に配置される架空電線等の対象物の周囲に絶縁テープを巻き付けて絶縁処理をする場合、ヤットコの把持部の両アーム間で絶縁テープを把持し、ヤットコの操作によって絶縁テープを対象物の周囲に巻き付ける方法や、ヤットコの把持部の両アームに先端工具をそれぞれ取り付け、両先端工具のテープ保持棒間で絶縁テープを保持し、ヤットコの操作によって絶縁テープを対象物の周囲に巻き付ける方法（特許文献１）等が採用されている。
【先行技術文献】
【特許文献】
【０００３】
【特許文献１】特開２００８−１７６００号公報
【発明の概要】
【発明が解決しようとする課題】
【０００４】
ところで、ヤットコの把持部で絶縁テープを把持する方法は、把持部の両アーム間で絶縁テープを把持した状態で、ヤットコの角度を調整しながら対象物の周囲に絶縁テープを巻き付けなければならないため、その作業に非常に手間がかかる。
【０００５】
また、対象物への巻き始めが不安定になりやすく、また、テンションをかけながら対象物に巻き付けるのが難しいため、仕上がり状態が作業者の経験に左右され、経験の浅い作業者では絶縁不良等の問題が生じることになる。さらに、対象物に絶縁テープを巻き付けた後に、絶縁テープの終端をヤットコと別の切断工具で切断しなければならないため、その作業にも手間がかかる。
【０００６】
一方、特許文献１に記載の方法は、ヤットコの把持部の両アームを開閉させることにより、両アームの先端に取り付けた両先端工具の両テープ保持棒間で絶縁テープを保持し、又は保持状態を解除することができるので、ヤットコの把持部の両アーム間で絶縁テープを把持する方法のような問題が生じることはない。
【０００７】
しかし、対象物に先に巻き付けた一巻きの絶縁テープの上部に次の一巻きを重ねて巻き付ける場合、上側の一巻きの絶縁テープを下側の一巻きの絶縁テープの上部に全周に亘ってテンションをかけながら押し付けることが難しいため、経験の浅い作業者では絶縁不良等の問題が生じることになる。さらに、対象物に絶縁テープを巻き付けた後に、絶縁テープの終端をヤットコ及び先端工具と別の切断工具で切断しなければならないため、その作業にも手間がかかる。
【０００８】
本発明は、上記のような従来の問題に鑑みなされたものであって、対象物の周囲に絶縁テープを絶縁不良が生じることなく、容易に巻き付けることができるとともに、作業者の経験に左右されずに所望の仕上がり状態が得られ、さらに、対象物に巻き付けた絶縁テープの終端を容易に切断することができる、ヤットコ用アダプタを提供することを目的とする。
【課題を解決するための手段】
【０００９】
上記のような課題を解決するために、本発明は、以下のような手段を採用している。
すなわち、本発明は、開閉可能な一対のアームを有する把持部と、前記一対のアームを開閉させる操作部とを備えたヤットコの前記把持部に取り付けられ、前記一対のアームの先端間で把持したロール状の絶縁テープを対象物に巻き付けるのに用いられるヤットコ用アダプタであって、前記両アームの先端と間隔をおき、かつ前記両アーム間で把持した前記絶縁テープの巻心の軸線と略平行をなすように設けられる押さえ部を有していることを特徴とする。
【００１０】
本発明のヤットコ用アダプタによれば、ヤットコの把持部の両アーム間で絶縁テープを把持し、ヤットコを操作して、絶縁テープにテンションをかけながら、押さえ部を絶縁テープの背面側に接触させ、押さえ部で絶縁テープを対象物の方向に押し付け、この状態でヤットコを操作して、押さえ部を対象物の周囲を周回する方向に順次移動させることにより、対象物の周囲に絶縁テープを最初の一巻き巻き付けることができる。そして、このような作業を繰り返すことにより、対象物の周囲に絶縁テープを複数巻き巻き付けることができる。従って、作業者の熟練度に影響されることなく、経験の浅い作業者であっても、絶縁不良が生じることなく、対象物の周囲に絶縁テープを複数巻きに巻き付けることができる。
【００１１】
また、本発明において、前記押さえ部は、前記両アームの開閉方向を通る水平面に対して所定の角度をなすように設けられていることとしてもよい。
【００１２】
本発明のヤットコ用アダプタによれば、押さえ部は、ヤットコの両アームの開閉方向を通る水平面に対して所定の角度をなしているので、上方に水平に配置される対象物だけでなく、各種の角度で配置される対象物への絶縁テープの巻き付けに適用することができる。
【００１３】
さらに、本発明において、前記両アームの先端には、前記絶縁テープの巻心を軸線方向の両側から支持する一対の支持部が着脱自在に取り付けられ、該一対の支持部の何れか一方に前記押さえ部が設けられていることとしてもよい。
【００１４】
本発明のヤットコ用アダプタによれば、ヤットコの把持部の両アームを閉じることにより、両アームに取り付けた一対の支持部間で絶縁テープが巻心の軸線方向の両側から支持され、この状態で絶縁テープよりも前方側に押さえ部が配置されることになるので、対象物に絶縁テープを巻き付ける際に、巻心から引き出し、対象物の周囲に粘着させた絶縁テープの背面側を押さえ部で押さえ、対象物の方向に押し付けることができる。
【００１５】
さらに、本発明において、前記各支持部は、各アームの先端にそれぞれ着脱自在に取り付けられる基部と、各基部に一体に設けられるとともに、前記絶縁テープの巻心の内側に軸線方向から挿入可能な突出部とを備えていることとしてもよい。
【００１６】
本発明のヤットコ用アダプタによれば、ヤットコの把持部の各アームの先端に基部を取り付けることにより、各アームの先端に支持部が取り付けられる。そして、ヤットコの把持部の両アームを閉じることにより、両支持部の両突出部が絶縁テープの巻心の内側に軸線方向の両側に挿入され、両支持部間で絶縁テープが支持されることになる。
【００１７】
さらに、本発明において、前記突出部は、円柱状又は円筒状に形成されるとともに、前記絶縁テープの巻心の内側に挿入可能な直径に設定され、かつ前記基部からの突出長さが前記絶縁テープの幅の１／２以下に設定されていることとしてもよい。
【００１８】
本発明のヤットコ用アダプタによれば、突出部は、円柱状又は円筒状に形成され、絶縁テープの巻心の内側に挿入可能な直径に設定され、かつ基部からの突出長さが絶縁テープの幅の１／２以下に設定されているので、両支持部間で絶縁テープを支持する場合に、両突出部を絶縁テープの巻心の内側に挿入させた状態で、両基部間で絶縁テープを幅方向の両側から把持することができ、両支持部間で絶縁テープを支持することができる。
【００１９】
さらに、本発明において、前記押さえ部は、円柱状又は円筒状に形成されるとともに、前記絶縁テープの幅よりも長く形成されていることとしてもよい。
【００２０】
本発明のヤットコ用アダプタによれば、押さえ部は、円柱状又は円筒状に形成されるとともに、絶縁テープの幅よりも長く形成されているので、押さえ部を絶縁テープの背面側に全幅に亘って、かつ滑らかに接触させることができる。
【００２１】
さらに、本発明において、前記押さえ部の先端部には、前記対象物の周囲に巻き付けた絶縁テープを切断する切断刃が設けられていることとしてもよい。
【００２２】
本発明のヤットコ用アダプタによれば、対象物の周囲の巻き付けた絶縁テープの終端を切断する場合に、押さえ部の先端部に設けた切断刃によって切断することができるので、ヤットコと別の切断工具を用意する必要がなくなり、絶縁テープの切断作業を容易に行うことができる。
【発明の効果】
【００２３】
以上、説明したように、本発明のヤットコ用アダプタによれば、ヤットコの把持部の両アーム間で絶縁テープを把持し、この状態で押さえ部を絶縁テープの背面側に接触させ、ヤットコを操作して、絶縁テープにテンションをかけながら、押さえ部で絶縁テープを対象物の方向に押し付け、ヤットコを操作して、押さえ部を対象物の周囲を周回するように順次移動させることにより、対象物の周囲に絶縁テープを一巻き巻き付けることができ、このような作業を繰り返すことにより、対象物の周囲に絶縁テープを複数巻き巻き付けることができる。従って、経験の浅い作業者であっても絶縁不良が生じることなく、対象物の周囲に絶縁テープを複数巻きに巻き付けることができる。
また、押さえ部の切断刃により、対象物の周囲に巻き付けた絶縁テープの終端を切断することができるので、ヤットコと別の切断工具を用意する必要がなく、絶縁テープの切断作業を容易に行うことができる。
【図面の簡単な説明】
【００２４】
【図１】本発明の一実施形態のヤットコ用アダプタをヤットコに取り付けた状態を示した平面図である。
【図２】図１のＡ−Ａ矢視図である。
【図３】図１のヤットコ用アダプタの斜視図である。
【図４】図３のヤットコ用アダプタの押さえ部をＢ方向から見た拡大図である。
【図５】図４のＣ矢視図である。
【図６】ヤットコの一例を示した平面図である。
【図７】対象物の周囲に絶縁テープを最初の一巻きを巻き付ける途中の過程を示した説明図であって、押さえ部と絶縁テープと対象物との位置関係を示した説明図である。
【図８】対象物の周囲に絶縁テープを最初の一巻きを巻き付けた状態を示した説明図であって、押さえ部と絶縁テープと対象物との位置関係を示した説明図である。
【図９】ヤットコ用アダプタの変形例を示した説明図である。
【発明を実施するための形態】
【００２５】
以下、図面を参照しながら本発明の実施の形態について説明する。
図１〜図５には、本発明によるヤットコ用アダプタの一実施の形態が示されている。本実施の形態ヤットコ用アダプタ２０は、間接活線作業において、上方に水平に配置される架空電線等の対象物４５の周囲に絶縁テープ４０を巻き付けて絶縁するのに適用され、例えば、図７〜図８に示すように、ヤットコ１を用いて対象物４５の周囲に絶縁テープ４０を巻き付けるのに有効なものである。
【００２６】
なお、本実施の形態においては、例えば、ＪＩＳ  Ｃ２３３６に規定される「電気絶縁用ポリ塩化ビニル粘着テープ」のうち、厚さ：０．２ｍｍ、幅：１９ｍｍ、長さ：２０ｍ、巻心の内径：３６ｍｍのものを絶縁テープ４０として使用しているが、これに限定することなく、各種の絶縁テープを使用することができる。
【００２７】
ヤットコ１は、例えば、図６に示すように、開閉自在なアルミ合金製の一対のＣ形状のアーム（第１アーム３及び第２アーム４）からなる把持部２と、把持部２の両アーム３、４を開閉させる操作部６とを備え、把持部２の両アーム３、４に本実施の形態のヤットコ用アダプタ２０が着脱自在に取り付けられる。
【００２８】
操作部６は、絶縁材からなるパイプ状の操作ロッド７と、操作ロッド７に対して略平行に設けられる絶縁材からなるパイプ状の連結ロッド８と、アルミ合金製のＬ形状の操作レバー９とを備え、操作ロッド７の先端７ｂに取付金具１０を介して把持部２の第１アーム３及び第２アーム４が取り付けられる。
【００２９】
取付金具１０は、操作ロッド７の先端７ｂに取り付けられる基部１１と、基部１１の先端に一体に設けられるアーム取付部１２とから構成され、アーム取付部１２に第１アーム３の基端３ａが固定され、第１アーム３の基端３ａに第２アーム４の基端４ａが噛合され、この状態で第２アームの基端４ａが第１アーム３の基端３ａに連結ピン５を介して回動自在に連結されている。
【００３０】
第１アーム３は、図６に想像線で示すように、アーム取付部１２に対する取付角度が調整可能に構成され、第１アーム３のアーム取付部１２に対する取付角度を調整することにより、第１アーム３の操作ロッド７の軸線に対する開き角度を調整することができる。
【００３１】
操作ロッド７の基端７ａ側にはレバー取付部１４が設けられ、このレバー取付部１４に操作レバー９が連結ピン１５を介して回動自在に連結され、連結ピン１５を中心として操作レバー９が操作ロッド７に接近又は離間する方向（図６の矢印方向）に回動するように構成されている。
【００３２】
連結ロッド８は、先端８ｂが連結金具１６を介して第２アーム４の基端４ａ近傍に回動自在に連結されるとともに、基端８ａが連結ピン１３を介して操作レバー９の先端９ａに回動自在に連結され、操作レバー９を操作ロッド７に接近又は離間する方向に回動させることにより、操作レバー９に追従して連結ロッド８が操作ロッド７に沿う方向（図６の上下方向）に移動するように構成されている。
【００３３】
連結金具１６は、連結ロッド８の先端８ｂに固定される筒状の基部１７と、基部１７の先端に一体に設けられる角度調整部１８とを備え、角度調整部１８が連結ピン（図示せず）を介して第２アーム４の基端４ａ近傍に回動自在に連結されている。角度調整部１８の第２アーム４に対する連結位置を調整することにより、第２アーム４の第１アーム３に対する開閉角度を調整できる。
【００３４】
本実施の形態のヤットコ用アダプタ２０は、図１〜図５に示すように、ヤットコ１の把持部２の両アーム（第１アーム３及び第２アーム４）の先端３ｂ、４ｂに着脱自在に取り付けられる一対の支持部（第１支持部２１及び第２支持部２６）と、第１支持部２１に一体に設けられる押さえ部３１と、押さえ部３１の先端に設けられる切断部３２とを備えている。
【００３５】
第１支持部２１は、第１アーム３の先端３ｂに着脱自在に取り付けられるボックス状の基部２２と、基部２２を第１アーム３の先端３ｂに固定する固定ねじ２４と、基部２２の後述する第２支持部２６の基部２７との対向面に設けられるとともに、第２支持部２６の基部２７の方向に突出する円柱状又は円筒状（本実施の形態では円柱状）の突出部２５とから構成されている。
【００３６】
第１支持部２１の基部２２は、第１アーム３の先端３ｂを嵌合し得る形状のボックス状に形成されるとともに、後述する第２支持部２６の基部２７との対向面が両アーム３、４の開閉方向に対して直交する平面状の把持面２３に形成され、この把持面２３の中心部に円柱状の突出部２５が一体に設けられている。
【００３７】
第２支持部２６は、第２アーム４の先端４ｂに着脱自在に取り付けられるボックス状の基部２７と、基部２７を第２アーム４の先端４ｂに固定する固定ねじ２４と、基部２７の第１支持部２１の基部２２との対向面に設けられるとともに、第１支持部２１の基部２２の方向に突出する円柱状又は円筒状（本実施の形態では円柱状）の突出部２９とから構成されている。
【００３８】
第２支持部２６の基部２７は、第２アーム４の先端４ｂを嵌合し得る形状のボックス状に形成されるとともに、第１支持部２１の基部２２との対向面が両アーム３、４の開閉方向に対して直交する平面状の把持面２８に形成され、この把持面２８の中心部に円柱状の突出部２９が一体に設けられている。
【００３９】
第１支持部２１の突出部２２及び第２支持部２６の突出部２７は、絶縁テープ４０の巻心４１の内側に挿入し得る直径に設定されるとともに、把持面２３、２８からの突出長さが絶縁テープ４０の幅の１／２以下に設定されている。これにより、把持部２の両アーム３、４を閉じた際に、両支持部２１、２６の両突出部２５、２９を絶縁テープ４０の巻心４１の内側に挿入させた状態で、両支持部２１、２６の両把持面２３、２８間で絶縁テープ４０を幅方向の両側から把持することができ、両支持部２１、２６間で絶縁テープ４０を巻心４１の軸線が両アーム３、４の開閉方向を向くように支持することができる。
【００４０】
第１支持部２１の基部２２の上面側の部分には、基部２２の先端から前方に所定の長さ延出するように、かつ基部２２の把持面２３と面一となるように、帯板状の腕部３０が一体に設けられている。腕部３０の先端は下方に屈曲され、この屈曲された先端の中心部に押さえ部３１が一体に設けられている。
【００４１】
押さえ部３１は、円柱状又は円筒状（本実施の形態では円柱状）に形成されるものであって、軸線が両アーム３、４の先端３ｂ、４ｂに取り付けた両支持部２１、２６の両突出部２５、２９の軸線と略平行となるように、すなわち、両支持部２１、２６間で支持した絶縁テープ４０の巻心３１の軸線と略平行となるように、かつ、両アーム３、４の開閉方向を通る水平面上に軸線が位置するように、腕部３０の先端に一体に設けられている。本実施の形態においては、押さえ部３１の直径を（１６ｍｍ）に設定している。
なお、押さえ部３１は、図９に示すように、両アーム３、４の開閉方向を通る水平面に対して所定の角度で傾斜するように設けてもよい。また、押さえ部３１をねじ止め等の手段によって腕部３０の先端に着脱自在に取り付けてもよい。
【００４２】
また、押さえ部３１は、腕部３０からの突出長さが絶縁テープ４０の幅よりも長くなるように全長が設定され、本実施の形態においては、押さえ部３１の全長は絶縁テープ４０の幅＋６ｍｍに設定されている。さらに、押さえ部３１は、押さえ部３１と突出部２５との間の距離が８０〜９０ｍｍとなるように、腕部３０の長さ、及び腕部３０への設置位置が設定されている。このように、押さえ部３１の全長及び設置位置を設定することにより、両支持部２１、２６間で新品の絶縁テープ４０を支持した状態で、絶縁テープ４０と押さえ部３１との間に対象物４５としての架空電線（例えば、φ２３ｍｍの架空電線）を挿通させることができるとともに、対象物４５に絶縁テープ４０を巻き付ける際に、押さえ部３１で絶縁テープ４０を全幅に亘って対象物４５の方向に押し付けることができる。
【００４３】
図４及び図５に示すように、押さえ部３１の先端部には切断部３２が設けられ、この切断部３２に対象物４５の周囲に巻き付けた絶縁テープ４０を通すことにより、絶縁テープ４０の終端を切断することができる。
切断部３２は、例えば、押さえ部３１の先端部３１ａの中央部に、押さえ部３１の先端面３１ｂ及び周面３１ｃ側が開口する、押さえ部３１の先端に行くに従って順次幅広となる台形断面の切断溝３３を形成し、この切断溝３３の底面３３ａに切断刃３４を設けて構成したものである。
【００４４】
切断溝３３は、絶縁テープ４０の全幅を挿通し得る深さ（本実施の形態では、２２ｍｍ）に形成され、この切断溝３３の底面３３ａの中央部に、板状の切断刃３４がその上端の刃部３５が切断溝３３の上面３３ｂ方向を向くように、垂直に設けられている。
【００４５】
切断刃３４は、切断溝３３の図中左側から右側に向かって順次低くなるように高さが設定され、この切断刃３４の上端部に先細の刃部３５が切断刃３４の全長に亘るように設けられ、この切断刃３４の刃部３５に絶縁テープ４０を押し付けることにより、絶縁テープ４０を切断することができる。
【００４６】
なお、切断溝３３は、上記の形状に限らず、絶縁テープ４０の全幅を挿通し得る形状、寸法の溝であればよい。また、切断刃３４は、１枚に限らず、２枚以上設けてもよい。さらに、切断刃３４は、刃部３５が押さえ部３１の底面３３ａに対して平行になるように設けてもよい。
【００４７】
そして、上記のように構成した本実施の形態のヤットコ用アダプタ２０を用い、絶縁テープ４０を上方の架空電線等の対象物４５の周囲に巻き付けるには、図１に示すように、ヤットコ１の把持部２の第１アーム３の先端３ｂに第１支持部２１の基部２２を取り付け、第２アーム４の先端４ｂに第２支持部２６の基部２７を取り付け、第１支持部２１の基部２２及び第２支持部２６の基部２７を第１アーム３の先端３ｂ及び第２アーム４の先端４ｂに固定ねじ２４によって固定する。
【００４８】
そして、ヤットコ１の把持部２の第１アーム３と第２アーム４との間に絶縁テープ４０を配置し、操作部６の操作レバー９を握ることにより、第２アーム４を回動させて第１アーム３と第２アーム４とを閉じる方向に相対的に移動させる。
【００４９】
第１アーム３と第２アーム４とを閉じる方向に相対的に移動させると、第１支持部２１及び第２支持部２６が第１アーム３及び第２アーム４と一体に閉じる方向に相対的に移動し、第１支持部２１の突出部２５及び第２支持部２６の突出部２９が絶縁テープ４０の巻心４１の内側に幅方向の両側から挿入されるとともに、第１支持部２１の基部２２の把持面２３と第２支持部２６の基部２７の把持面２８との間で絶縁テープ４０が幅方向の両側から把持され、両支持部２１、２６間で絶縁テープ４０が支持される。
【００５０】
絶縁テープ４０を上方の架空電線等の対象物４５の周囲に巻き付ける具体的な手順は以下の通りである。
まず、図７に示すように、ヤットコ１を操作して、両支持部２１、２６間に支持されている絶縁テープ４０の始端の粘着面を上方の対象物４５の周面の上部に接触させ、この絶縁テープ３０の接触させた部分の背面側にヤットコ用アダプタ２０の押さえ部３１を接触させ、この状態で押さえ部３１で絶縁テープ４０を対象物４５の方向に押し付けることにより、絶縁テープ４０の始端を対象物４５の周面に粘着させる。
【００５１】
次に、図８に示すように、ヤットコ１を操作して、絶縁テープ４０にテンションをかけながら、巻心４１から絶縁テープ４０を順次引き出し、押さえ部３１で絶縁テープ４０を対象物４５の方向に押し付けながら、押さえ部３１を対象物４５の周囲を周回するように、図中ａ→ｂ→ｃ→ｄ方向に順次移動させ、押さえ部３１に追従して巻心４１を図中Ａ１→Ａ２→Ａ３の方向に順次移動させ、対象物４５の周囲に絶縁テープ４０を最初の一巻き、巻き付ける。
【００５２】
この場合、ヤットコ１の操作ロッド７を操作して、両アーム３、４を開く方向に僅かに移動させて、両支持部２１、２６による絶縁テープ４０の支持力を弱めることにより、両支持部２１、２６間で巻心４１を回転させながら、巻心４１から絶縁テープ４０を順次引き出し、対象物４５の周囲に絶縁テープ４０を最初の一巻き、巻き付ける。
【００５３】
そして、巻心４１を対象物４５の頂点よりも図中右側に移動させた時点で、ヤットコ１の操作ロッド７を操作して、両アーム３、４を開く方向へ移動させることにより、両支持部２１、２６間から絶縁テープ４０を離脱させ、絶縁テープ４０を対象物４５の図中左側から右側に落とし込む。
【００５４】
そして、対象物４５の図中右側に落とし込んだ絶縁テープ４０を、ヤットコ１を操作して、両支持部２１、２６間で支持し直し、図７に示すように、ヤットコ１を操作して、絶縁テープ４０にテンションをかけながら、巻心４１から絶縁テープ４０を順次引き出し、押さえ部３１で絶縁テープ４０を対象物４５の方向に押し付けながら、押さえ部３１を対象物４５の周囲を周回するように、図８中ａ→ｂ→ｃ→ｄの方向に順次移動させ、巻心４１を図８中Ａ１→Ａ２→Ａ３の方向に順次移動させることにより、最初の一巻きの絶縁テープ４０の上部に絶縁テープ４０を次の一巻き、巻き付け、このような作業を複数回繰り返すことにより、対象物４５の周囲に絶縁テープ４０を複数巻き、巻き付ける。
【００５５】
そして、対象物４５の周囲に絶縁テープ４０を複数巻き、巻き付けた後に、絶縁テープ４０の終端を押さえ部３１の切断部３２の切断溝３３内を挿通させ、ヤットコ１を操作して、切断溝３３内の切断刃３４に絶縁テープ４０を押し付けることにより、絶縁テープ４０を終端から切断し（図４及び図５参照）、切断した絶縁テープ４０の終端を押さえ部３１で対象物４５の方向に押し付け、下側の絶縁テープ４０の上部に粘着させる。
【００５６】
このようにして、対象物４５の周囲に絶縁テープ４０を複数巻き、巻き付けることにより、対象物４５の絶縁対象箇所を絶縁テープ４０で絶縁処理することができる。なお、対象物４５の絶縁対象箇所の全長が絶縁テープ４０の幅よりも長い場合には、対象物４５の周囲に螺旋状に絶縁テープ４０を複数巻き、巻き付けることにより、絶縁対象箇所の全体を絶縁テープ４０で絶縁処理することができる。
【００５７】
なお、対象物４５に対してヤットコ１を水平方向から操作できる場合には、対象物４５の周囲に絶縁テープ４０を一巻き以上巻き付けることができるので、両支持部２１、２６で絶縁テープ４０を支持し直す回数を減らすことができ、対象物４５に絶縁テープ４０を巻き付けるのに要する時間を短縮することができる。
【００５８】
上記のように構成した本実施の形態のヤットコ用アダプタ２０にあっては、ヤットコ１を操作して、絶縁テープ４０にテンションをかけながら、押さえ部３１で絶縁テープ４０を対象物４５の方向に押し付け、押さえ部３１を対象物４５の周囲を周回するように順次移動させることにより、対象物４５の周囲に絶縁テープ４０を一巻き、巻き付けることができ、このような作業を繰り返し行うことにより、対象物４５の周囲に絶縁テープ４０を複数巻き、巻き付けることができ、対象物４５の絶縁対象箇所を絶縁することができる。
【００５９】
従って、対象物４５の周囲に絶縁テープ４０を巻き付ける作業に熟練を要することはなく、経験の浅い作業者であっても、絶縁不良が生じることなく、対象物４５の周囲に絶縁テープを巻き付けることができる。
【００６０】
また、絶縁テープ４０の終端を切断する場合に、ヤットコ１とは別の切断工具を用いる必要がなく、絶縁テープ４０の終端を切断部３２の切断溝３３内を挿通させて、切断刃３４に絶縁テープ４０を押し付けることにより切断することができるので、絶縁テープ４０の終端の切断作業を容易に行うことができる。
【００６１】
なお、上記の説明においては、本発明を上方に水平に配置される架空電線等の対象物４５の周囲に絶縁テープ４０を巻き付ける場合に適用したが、所定の角度（鉛直を含む）で傾斜した状態に配置される架空電線等の対象物の周囲に絶縁テープを巻き付ける場合に本発明を適用してもよいものであり、その場合にも、同様の作用効果を奏する。
【００６２】
また、上記の説明においては、ヤットコ１の把持部２の第１アーム３、及び第２アームに第１支持部２１及び第２支持部２６を取り付け、第１支持部２１に押さえ部３１を設けたが、第１アーム３に直接に押さえ部３１を取り付けるように構成してもよい。その場合には、第１アーム３と第２アーム４の先端間で絶縁テープ４０を幅方向の両側から把持するように構成すればよい。
【符号の説明】
【００６３】
１  ヤットコ
２  把持部
３  第１アーム
３ａ  基端
３ｂ  先端
４  第２アーム
４ａ  基端
４ｂ  先端
５  連結ピン
６  操作部
７  操作ロッド
７ａ  基端
７ｂ  先端
８  連結ロッド
８ａ  基端
８ｂ  先端
９  操作レバー
９ａ  先端
１０  取付金具
１１  基部
１２  アーム取付部
１３  連結ピン
１４  レバー取付部
１５  連結ピン
１６  連結金具
１７  基部
１８  角度調整部
２０  ヤットコ用アダプタ
２１  第１支持部
２２  基部
２３  把持面
２４  固定ねじ
２５  突出部
２６  第２支持部
２７  基部
２８  把持面
２９  突出部
３０  腕部
３１  押さえ部
３１ａ  先端部
３１ｂ  先端面
３１ｃ  周面
３２  切断部
３３  切断溝
３３ａ  底面
３３ｂ  上面
３４  切断刃
３５  刃部
４０  絶縁テープ
４１  巻心
【図１】
0005631703.tif 000002
【図２】
0005631703.tif 000003
【図３】
0005631703.tif 000004
【図４】
0005631703.tif 000005
【図５】
0005631703.tif 000006
【図６】
0005631703.tif 000007
【図７】
0005631703.tif 000008
【図８】
0005631703.tif 000009
【図９】
0005631703.tif 000010